(57)【特許請求の範囲】
【請求項１】
水上に設けられ、床版が杭で支持された既設の橋梁の補強構造であって、
水底側から支持されることなく常に水中に浮遊した状態に設けられる浮力体と、前記浮力体の上面に固定され、前記浮力体の浮力を前記床版に伝達させる伝達部材とを備えていることを特徴とする橋梁の補強構造。
【請求項２】
前記伝達部材は、前記床版の下面全体を覆うように設けられる荷重分散部材と、該荷重分散部材と前記浮力体との間に設けられる支持部材とからなることを特徴とする請求項１に記載の橋梁の補強構造。
【請求項３】
水上構造物の補強構造であって、
水中に没した状態に設けられる浮力体と、前記浮力体の浮力を前記水上構造物に伝達させる伝達部材とを備え、
前記伝達部材は、前記水上構造物の下面側に設けられる荷重分散部材と、該荷重分散部材と前記浮力体との間に設けられる支持部材とからなり、
前記支持部材は、前記荷重分散部材の下面側に設けられる板状部材と、該板状部材の下面側に設けられる梁部材と、該梁部材と前記浮力体との間に設けられる柱状部材とからなることを特徴とする水上構造物の補強構造。
【請求項４】
前記浮力体は、内部に水を注入可能に構成されるとともに、水の注入量を調整することにより、浮力の調整が可能に構成されていることを特徴とする請求項１又は２に記載の橋梁の補強構造。
【請求項５】
前記浮力体の浮力は、前記橋梁の静荷重を超えない値に設定されていることを特徴とする請求項１、２及び４の何れか１項に記載の橋梁の補強構造。
【請求項６】
水上構造物の補強構造の構築方法であって、浮力の調整が可能な浮力体を前記水上構造物の下方の水中に没した状態に設置する工程と、前記浮力体の上部に、前記浮力体の浮力を前記水上構造物に伝達させる伝達部材の一部である支持部材を設置する工程と、前記浮力体を沈降させて前記支持部材を下降させることにより、前記水上構造物と前記支持部材との間に空間を形成する工程と、前記空間に、前記伝達部材の一部である荷重分散部材を設置する工程と、前記浮力体の浮力を増加させて前記浮力体を浮上させることにより、前記浮力を前記伝達部材を介して前記水上構造物に伝達させる工程とを備えていることを特徴とする水上構造物の補強構造の構築方法。
【発明の詳細な説明】
【技術分野】
【０００１】
本発明は、水上構造物の補強構造及び構築方法に関し、特に、既設の水上構造物を補強するのに有効な水上構造物の補強構造及び構築方法に関する。
【背景技術】
【０００２】
一般に、人や車両等の通行のために川や海等を跨いだ状態に設置されている橋梁等を老朽化や腐食等によって補強する場合、人や車両等の通常を許容した状態で橋梁等の上部構造（床版、横桁、縦桁等）を下面側から補強することが行われている。
【０００３】
例えば、特許文献１には、橋梁構造物の主桁等で構成された橋体の下面及び側面にパネルを設置することにより、橋梁構造物の防食性を向上させるように構成した補強構造が記載されている。
【０００４】
特許文献１に記載の補強構造は、橋梁構造物の主桁等で構成された橋体下面に、幅員方向に長く橋軸方向に短いパネルを、短手方向の両端部に形成した凹接合部と凸接合部とを嵌合させるとともに、このパネルの接合部を横断する方向（橋軸方向）に間隔をおいて縦梁を配置し、この縦梁と各パネルの接合部とを固定具で固定し、さらに、パネルに固定した縦梁を直交方向に適宜間隔ごとに配置した横梁に固定し、この横梁を橋梁の主桁の下フランジに支持材によって支持することにより、橋体の下面を覆う下面パネルカバーを構成している。また、橋体の側面に、パネルの上端部を橋梁の路肩部の地覆に固定し、下端部を下面パネルカバーのパネルの端部に接合し、中間部を橋梁構造物に一端が支持されたフレームに支持することにより、側面パネルカバーを構成している。
【０００５】
ところで、特許文献１に記載の補強構造は、橋梁構造物の橋体にホイストクレーン等を取り付け、このホイストクレーン等を橋脚等に設けた作業ステージ上で操作することにより、台船等によって橋体の下方に搬入したパネルを吊り上げ、このパネルを作業ステージ上で順次接合しながら、パネル側に取り付けた走行ローラを橋体側に取り付けたガイドレールに沿って走行させることにより、橋体の橋軸の方向に移動させている。この場合、必要に応じて、橋脚等にウインチ等を設置し、ウインチ等の操作によってパネルを引っ張ることにより、橋体の橋軸方向に移動させている。このため、橋梁構造物にホイストクレーン、ガイドレール、走行ローラ等による施工時荷重が作用することになり、橋梁構造物に悪影響を与えるおそれがある。
【先行技術文献】
【特許文献】
【０００６】
【特許文献１】特開２００４−３２４２３０号公報
【発明の概要】
【発明が解決しようとする課題】
【０００７】
本発明は、上記のような従来の問題に鑑みなされたものであって、老朽化した水上構造物に施工時荷重を作用させることなく、老朽化した水上構造物を補強する補強構造を構築することができる、水上構造物の補強構造及び構築方法を提供することを目的とする。
【課題を解決するための手段】
【０００８】
上記のような課題を解決するために、本発明は、以下のような手段を採用している。
すなわち、本発明は、水上に設けられ、床版が杭で支持された既設の橋梁の補強構造であって、水底側から支持されることなく常に水中に没した状態に設けられる浮力体と、前記浮力体の上面に固定され、前記浮力体の浮力を前記水上構造物に伝達させる伝達部材とを備えていることを特徴とする。
【０００９】
本発明の橋梁の補強構造によれば、水底側から支持されることなく常に水中に没した状態の浮力体の浮力を、当該浮力体の上面に固定された伝達部材を介して既設の橋梁に伝達させることにより、水上構造物に上向きの力を付与することができ、この上向きの力によって橋梁の静荷重（死荷重）の少なくとも一部を支持することができ、橋梁の下面側を補強部材で補強した場合と同様の効果が得られる。
また、老朽化した橋梁に施工時荷重を作用させることがないので、老朽化した橋梁に悪影響を与えることはない。
さらに、浮力体は、常に水中に没した状態に設けられているので、水位の変動が生じても浮力体の浮力が変動するようなことはなく、浮力体によって橋梁に上向きの一定の力を付与し続けることができ、長期に亘って橋梁を補強し続けることができる。
【００１０】
また、本発明において、前記伝達部材は、前記床版の下面全体を覆うように設けられる荷重分散部材と、該荷重分散部材と前記浮力体との間に設けられる支持部材とからなることとしてもよい。
【００１１】
本発明の橋梁の補強構造によれば、床版の下面全体を覆うように荷重分散部材が設けられ、この荷重分散部材によって浮力体による上向きの力を床版の下面側の全体に分散させることができるので、床版の下面側に局部的に上向きの力が集中するようなことはなく、床版が局部的に損傷等するようことはない。
【００１２】
さらに、本発明は、水上構造物の補強構造であって、水中に没した状態に設けられる浮力体と、前記浮力体の浮力を前記水上構造物に伝達させる伝達部材とを備え、前記伝達部材は、前記水上構造物の下面側に設けられる荷重分散部材と、該荷重分散部材と前記浮力体との間に設けられる支持部材とからなり、前記支持部材は、前記荷重分散部材の下面側に設けられる板状部材と、該板状部材の下面側に設けられる梁部材と、該梁部材と前記浮力体との間に設けられる柱状部材とからなることを特徴とする。
【００１３】
本発明の水上構造物の補強構造によれば、荷重分散部材の下面側に板状部材が設けられているので、浮力体の上向きの力が荷重分散部材に局部的に集中するようなことはなく、浮力体の上向きの力によって荷重分散部材が局部的に損傷するのを防止できる。
【００１４】
さらに、本発明の橋梁の補強構造において、前記浮力体は、内部に水を注入可能に構成されるとともに、水の注入量を調整することにより、浮力の調整が可能に構成されていることとしてもよい。
【００１５】
本発明の橋梁の補強構造によれば、浮力体への水の流入量を調整して、浮力体の浮力を調整することにより、浮力体により床版に付与する上向きの力の大小を調整することができる。また、周囲に水が存在することにより、周囲から容易に水を調達して浮力体へ注入することができるとともに、浮力体から周囲に容易に排水させることができる。
【００１６】
さらに、本発明の橋梁の補強構造において、前記浮力体の浮力は、前記橋梁の静荷重を超えない値に設定されていることとしてもよい。
【００１７】
本発明の橋梁の補強構造によれば、浮力体の浮力は、橋梁の静荷重（死荷重）を超えない値に設定されているので、浮力体による上向きに力によって水上構造物が破損等するのを防止できる。
【００１８】
さらに、本発明は、水上構造物の補強構造の構築方法であって、浮力の調整が可能な浮力体を前記水上構造物の下方の水中に没した状態に設置する工程と、前記浮力体の上部に、前記浮力体の浮力を前記水上構造物に伝達させる伝達部材の一部である支持部材を設置する工程と、前記浮力体を沈降させて前記支持部材を下降させることにより、前記床版と前記支持部材との間に空間を形成する工程と、前記空間に、前記伝達部材の一部である荷重分散部材を設置する工程と、前記浮力体の浮力を増加させて前記浮力体を浮上させることにより、前記浮力を前記伝達部材を介して前記水上構造物に伝達させる工程とを備えていることを特徴とする。
【００１９】
本発明の水上構造物の構築方法によれば、浮力体を水中に没した状態に設置し、浮力体の上部と水上構造物との間に伝達部材を設置し、浮力体の浮力を増加させて、伝達部材を介して水上構造物に伝達させることにより、水上構造物の補強構造を構築することができる。従って、水上構造物に施工時荷重を作用させることなく、補強構造を構築することができる。
【発明の効果】
【００２０】
以上、説明したように、本発明の水上構造物の補強構造及び構築方法によれば、浮力体を水中に没した状態に設置し、浮力体と水上構造物との間に伝達部材を設置し、浮力体の浮力による上向きの力を伝達部材を介して水上構造物に伝達させることにより、水上構造物の静荷重を支える補強構造を構築することができる。従って、老朽化した水上構造物に施工時荷重を作用させることなく、老朽化した水上構造物を補強する補強構造を構築することができる。
【図面の簡単な説明】
【００２１】
【図１】本発明による水上構造物の補強構造の一実施の形態を示した正面図である。
【図２】図１の側面図である。
【図３】本発明による水上構造物の構築方法の一実施の形態を示した説明図であって、構築方法のステップ１を示した説明図である。
【図４】構築方法のステップ２を示した説明図である。
【図５】構築方法のステップ３を示した説明図である。
【図６】構築方法のステップ４を示した説明図である。
【図７】構築方法のステップ５を示した説明図である。
【発明を実施するための形態】
【００２２】
以下、図面を参照しながら本発明の実施の形態について説明する。図１〜図７には、本発明による水上構造物の補強構造及び構築方法の一実施の形態が示されている。図１は水上構造物の補強構造の正面図、図２は図１の側面図、図３〜図７は水上構造物の補強構造の構築方法を示した説明図である。
【００２３】
すなわち、本実施の形態の水上構造物の補強構造は、人や車両等の通行のために川や海等を跨いだ状態に設置される水上構造物としての橋梁を対象とし、老朽化した橋梁を補強するのに適用したものである。
【００２４】
橋梁１は、図１及び図２に示すように、例えば、人や車両等を支持する車道４や歩道５を備えた床版３、床版３を支持する主桁６（縦桁６ａ、横桁６ｂ）等からなる上部構造２と、梁７（縦梁７ａ、横梁７ｂ）等からなる下部構造９と、上部構造２、人、車両、及び下部構造８からの荷重を地盤２５に伝達させる杭１０とから構成され、上部構造２の下面側に本実施の形態の水上構造物の補強構造１１が構築される。
なお、本実施の形態においては、海を跨いだ状態に設置される橋梁１を対象とし、図１及び図２においては、橋梁１の補強構造１１の上部構造２、下部構造９、杭１０の全体を示している。
【００２５】
本実施の形態の水上構造物の補強構造１１は、上部構造２の床版３の下方の海水中に没した状態に設けられる浮力体１２と、浮力体１２と床版３との間に設けられるとともに、浮力体１２の浮力による上向きの力を床版３に伝達させる伝達部材１３とから構成されている。
【００２６】
浮力体１２は、内部に密閉された空間を有する箱状をなすものであって、上面側に空間の内外を貫通する注入口（図示せず）が設けられ、この注入口を通じて内部空間に所定量の水が注入可能に構成されている。浮力体１２の内部空間内への水の注入量を調整することにより、浮力体１２の浮力を調整することができる。浮力体１２の内部空間内への水の注入にはポンプが使用される。
【００２７】
浮力体１２は、床版３の全長及び全幅に亘って所定の間隔ごとに配置されるように、床版３の下方の海水中の複数箇所に設置されている。本実施の形態では、橋梁１の長手方向（床版３の長手方向）に隣接する２本の杭１０と、橋梁１の幅方向（床版３の幅方向）に隣接する２本の杭１０の４本の杭１０によって囲まれた部分にそれぞれ浮力体１２が設置されている。
【００２８】
浮力体１２は、海の干満による水位の変動に関わらずに、常に海水中に没した状態に設置されるように、設置高さが調整されている。これにより、浮力体１２による上向きの一定の力を後述する伝達部材１３を介して上部構造２に伝達させることができる。
【００２９】
また、浮力体１２の浮力は、上部構造２の静荷重（死荷重）のうち、浮力体１２が負担すべき荷重分に相当する値に設定され、その設定された荷重の分だけ、上部構造２の静荷重（死荷重）を軽減させることができる。なお、浮力体１２の浮力は、上部構造２の静荷重を超えない値に設定する。これにより、浮力体１２の浮力による上向きの力が上部構造２の静荷重（死荷重）を超えるのを防止でき、浮力体１２の浮力によって上部構造２が破損等するのを防止できる。
【００３０】
伝達部材１３は、上部構造２の床版３の下面側に設けられる荷重分散部材１４と、荷重分散部材１４と浮力体１２との間に設けられる支持部材１６とから構成され、浮力体１２の浮力による上向きの力が支持部材１６、及び荷重分散部材１４を介して上部構造２の床版３に伝達される。
【００３１】
荷重分散部材１４は、例えば、発泡スチロール（ＥＰＳ）製の複数のブロック１５から構成される。本実施の形態では、上部構造２の床版３の下面側の全体を覆うように、床版３の下面側に複数のブロック１５を隙間なく配置し、床版３の下面側に所定の厚さの荷重分散部材１４を設置している。荷重分散部材１４により、浮力体１２の浮力による上向きの力を上部構造２の床版３の全体に分散させることができる。
なお、荷重分散部材１４は、発泡スチロール製のブロック１５に限らず、浮力体１２の浮力による上向きの力を上部構造２の床版３の全体に分散できるものであればよい。
【００３２】
支持部材１６は、例えば、荷重分散部材１４の下面側に、荷重分散部材１４の下面側の全体を覆うように設けられる板状部材１７と、板状部材１７の下面側に設けられる梁部材１９と、梁部材１９と浮力体１２との間に設けられる柱部材２１とから構成されている。
【００３３】
板状部材１７は、例えば、鋼製の帯状のデッキプレート１８から構成されるものであって、複数枚のデッキプレート１８が荷重分散部材１４の下面側に荷重分散部材１４の下面側の全体を覆うように設けられている。
【００３４】
各デッキプレート１８は、凹凸が交互に設けられた波形の長方形板状をなすものであって、中央部が上方に突出するように円弧状に湾曲された状態で荷重分散部材１４の下面側に設けられている。この場合、橋梁１の長手方向に隣接するデッキプレート１８間に隙間が形成されないように、荷重分散部材１４の下面側に複数枚のデッキプレート１８が設けられている。
【００３５】
板状部材１７の各デッキプレート１８の凹凸形状、及び円弧状に湾曲された形状により、板状部材１７と荷重分散部材１４との摩擦力を高めることができ、地震や津波等による外力が補強構造１１に作用した場合に、荷重分散部材１４と板状部材１７との間に水平方向に相対的なずれが生じるのを防止できる。
【００３６】
梁部材１９は、円弧板状に形成された所定の幅、長さ、厚さのプレキャストコンクリート製の複数のアーチ状のアーチ板２０を、板状部材１７の下面側に橋梁１の全長（床版３の全長）に亘るように一列に配置し、隣接するアーチ板２０間をボルト等によって互いに連結して構成したものであって、本実施の形態では、板状部材１７の下面側に梁部材１９を例えば６列に設けている。円弧状に湾曲された板状部材１７と、アーチ状のアーチ板２０とにより、板状部材１７と荷重分散部材１４との密着力を高めることができるとともに、アーチ効果により、梁部材１９自体の強度を高めることができる。
【００３７】
柱部材２１は、所定の幅、高さ、厚さのプレキャストコンクリート製の複数の直板２２を、各列の梁部材１９の隣接するアーチ板２０間と各浮力体１２の上部との間に設けたものであって、本実施の形態では、浮力体１２の上部の例えば４隅にそれぞれ直板２２を設け、各直板２２の上下端を梁部材１９及び浮力体１２にボルト等によって固定している。
【００３８】
次に、上記のような構成の本実施の形態の水上構造物の補強構造１１の構築方法について説明する。
まず、図３に示すように、既設の橋梁１の上部構造２の床版３の下面側の、４本の杭１０によって囲まれた部分にそれぞれ浮力体１２を設置する。この場合、必要に応じて、下部構造９の縦梁７ａ又は横梁７ｂを切断し、４本の杭１０によって囲まれた部分に橋梁１の側方からそれぞれ浮力体１２を挿入して配置し、浮力体１２の配置後に切断した縦梁７ａ又は横梁７ｂを接合し直す。
【００３９】
次に、図４に示すように、各浮力体１２の上部の４隅にそれぞれ柱部材２１をボルト等によって固定し、前後（床版３の長手方向）の柱部材２１の上部間にアーチ板２０を架け渡し、床版３の長手方向に隣接するアーチ板２０間をボルト等によって互いに連結し、床版３の下面側に梁部材１９を６列に設置する。
【００４０】
次に、６列に設置した梁部材１９の上部間に複数のデッキブレート１８を架け渡し、６列に設置した梁部材１９の上部に複数枚のデッキプレート１８からなる板状部材１７を設置する。この場合、床版３の長手方向に隣接するデッキプレート１８間に隙間が形成されないように、複数枚のデッキプレート１８を梁部材１９の上部に設置する。また、各デッキプレート１８は、ボルト等によって梁部材１９のアーチ板２０に固定する。
【００４１】
次に、図５に示すように、各浮力体１２の内部にポンプによって水を注入し、浮力体１２を沈降させて伝達部材１３の支持部材１６を下降させることにより、板状部材１７の上面と床版３の下面との間に荷重分散部材１４を設置可能な空間２３を形成する。
【００４２】
次に、図６に示すように、板状部材１７の上面と床版３の下面との間の空間２３内に、複数のブロック１５を充填し、床版３の下面側に複数のブロック１５からなる荷重分散部材１４を設置する。
【００４３】
次に、図７に示すように、各浮力体１２の内部からポンプによって水を排出させ、浮力体１２を浮上させて伝達部材１３の支持部材１６を上昇させることにより、板状部材１７の上面を荷重分散部材１４の下面側に圧接させる。
【００４４】
これにより、床版３の下面側に、浮力体１２、伝達部材１３（支持部材１６、荷重分散部材１４）からなる水上構造物の補強構造１１を構築することができ、浮力体１２の浮力による上向きの力を伝達部材１３を介して上部構造２の床版３に伝達させることができ、上部構造２の静荷重を軽減させることができる。
【００４５】
上記のように構成した本実施の形態の水上構造物の補強構造１１にあっては、橋梁１の床版３の下方の海水中に浮力体１２を水没した状態に設置するとともに、浮力体１２の上部に伝達部材１３の支持部材１６（柱部材２１、梁部材１９、板状部材１７）を設置し、支持部材１６の板状部材１７の上面と橋梁１の床版３の下面との間に複数のブロック１５からなる荷重分散部材１４を設置し、浮力体１２を浮上させて板状部材１７を荷重分散部材１４に圧接させることにより、補強構造１１を構築することができる。
【００４６】
従って、橋梁１の床版３の下面側の所定の位置に、補強部材を搬入するためのガイドレール、ホイストクレーン等を床版３の下面側に取り付ける必要がないので、老朽化した橋梁１の床版３に、ガイドレール、ホイストクレーン等による施工時荷重を作用させるようなことはなく、施工時荷重によって老朽化した橋梁１の床版３に悪影響を及ぼすようなことはない。
【００４７】
さらに、浮力体１２を海水中に水没させた状態に設置しているので、潮位の変動が生じても浮力体１２の浮力が殆ど変化するようなことはなく、浮力体１２によって常に上向きの一定の力を橋梁１の床版３に与えることができる。
この場合、柱部材２１は、浮力体１２に比較して体積が小さいため、殆ど浮力に影響を及ぼさない。但し、水位の上昇によって柱部材２１の分だけ浮力が増加することを多少ながらも考慮して、最高水位になった場合でも、浮力が上部構造２の床版３からの静荷重を超えないように、浮力を調整しておいてもよい。
【００４８】
さらに、伝達部材１３の板状部材１７は、凹凸が交互に設けられた帯状のデッキプレート１８を、梁部材１９の上部間に架け渡して構成されているので、板状部材１７と荷重分散部材１４との間の摩擦力を高めることができ、地震や津波等による外力が作用しても、荷重分散部材１４と板状部材１７との間に水平方向に相対的なずれが生じるようなことはなく、そのような場合においても、浮力体１２の浮力による上向きの力を橋梁１の床版３に伝達させ続けることができ、床版３を補強し続けることができる。
【００４９】
なお、前記の説明においては、海を跨いだ状態に設置されている水上構造物としての橋梁１に本発明を適用したが、河川、湖沼等を跨いだ状態に設置されている水上構造物としての橋梁に本発明を適用してもよい。
【００５０】
また、前記の説明においては、伝達部材１３を支持部材１６（柱部材２１、梁部材１９、板状部材１７）と荷重分散部材１４によって構成したが、伝達部材１３は、これらの組合せに限らず、各種の組合せを用いることができる。要は、浮力体１２の浮力を上向きの力として橋梁１の床版３に伝達させることができるものであればよい。
【００５１】
さらに、前記の説明においては、水上構造物としての橋梁１に本発明を適用したが、橋梁１に限らず、既設の各種の水上構造物に本発明を適用してもよい。
【００５２】
さらに、前記の説明においては、複数の発泡スチロール製のブロック１５を床版３の下面側に挿入することによって荷重分散部材１４を設置したが、現場において、床版３の下面側に型枠を設置して発泡ウレタン等を充填することにより、床版３の下面側を覆う荷重分散部材１４を製造するように構成してもよい。
【００５３】
さらに、前記の説明においては、浮力体１２の内部に水を注入したが、水以外の液体、砂等の固体等の荷重となる部材を注入してもよい。また、砂等の固体を用いる場合には、浮力体１２の上部に載置するようにしてもよい。
【符号の説明】
【００５４】
１  水上構造物（橋梁）
２  上部構造
３  床版
４  車道
５  歩道
６  主桁
６ａ  縦桁
６ｂ  横桁
７  梁
７ａ  縦梁
７ｂ  横梁
９  下部構造
１０  杭
１１  水上構造物の補強構造
１２  浮力体
１３  伝達部材
１４  荷重分散部材
１５  ブロック
１６  支持部材
１７  板状部材
１８  デッキプレート
１９  梁部材
２０  アーチ板
２１  柱部材
２２  直板
２３  空間
２５  地盤
【図１】
0005853415.tif 000002
【図２】
0005853415.tif 000003
【図３】
0005853415.tif 000004
【図４】
0005853415.tif 000005
【図５】
0005853415.tif 000006
【図６】
0005853415.tif 000007
【図７】
0005853415.tif 000008